(57)【要約】【課題】コストを低減しながら忘れ物をも効果的に抑制可能な車両用表示装置を提供する。【解決手段】車両用表示装置は、プレート本体１と、接続部材７と、マグネット８ａ，８ｂとを備える。プレート本体１は、車両の室内灯２に回動可能に取り付けられ、様々な情報を表示可能である。接続部材７は、室内灯２に対しプレート本体１を回動可能に接続する。該接続部材７は、一例においては室内灯２のケーシング３の外周の側壁にプレート本体１を接続する。マグネット８ａ，８ｂは、室内の天井６とプレート本体１とにそれぞれ取付けられ、天井６に取外し可能にプレート本体１を固定する。【選択図】図２
0003168223.tif 000002
【実用新案登録請求の範囲】
【請求項１】
車両の室内灯に回動可能に取り付けられ、情報を表示可能なプレート本体と、
前記室内灯に対し前記プレート本体を回動可能に接続する接続部材と、
前記車両の室内の壁面に取外し可能に前記プレート本体を固定可能な固定手段とを備えた、車両用表示装置。
【請求項２】
前記室内灯は、前記車両の室内の天井に装着され、ケーシングを有し、
前記接続部材は、前記ケーシングの外周の側壁に前記プレート本体を接続する、請求項１に記載の車両用表示装置。
【請求項３】
前記固定手段は、前記車両の室内の天井に設置された第１固定手段と、
前記接続部材が接続される側と反対側に位置する前記プレート本体に設置され、前記第１固定手段に取外し可能に固定可能な第２固定手段とを含み、
前記第１および第２固定手段を前記プレート本体の端部から離隔させた、請求項２に記載の車両用表示装置。
【考案の詳細な説明】
【技術分野】
【０００１】
本考案は、車両用表示装置に関し、特に、車両の室内に取付けられ、任意の情報を表示可能な車両用表示装置に関する。
【背景技術】
【０００２】
タクシー、バス、電車、自家用車等の車両内には様々な忘れ物があり、この忘れ物をなくすために従来から様々な提案がなされている。たとえば、特開２００５−１１５９１１号公報に記載の車両内忘れ物防止装置では、カメラなどの検出手段を用いて車両への忘れ物を防止するようにしている。また、特開２０１０−６１３６０号公報には、乗員に対して車両への忘れ物防止を報知する車両用忘れ物防止報知装置が記載されている。
【先行技術文献】
【特許文献】
【０００３】
【特許文献１】特開２００５−１１５９１１号公報
【特許文献２】特開２０１０−６１３６０号公報
【考案の概要】
【考案が解決しようとする課題】
【０００４】
しかし、上記特開２００５−１１５９１１号公報に記載の車両内忘れ物防止装置や、特開２０１０−６１３６０号公報に記載の車両用忘れ物防止報知装置では、カメラや音声出力装置等の高価な設備が別途必要となり、コストが増大するという問題が生じる。また、これらの公報に記載の装置は、車内で、運転手等が忘れ物がないか否かを乗員に対し積極的に働きかけるというものでもないため、乗員への注意喚起機能が十分ではなく、忘れ物を効果的に抑制できないという問題もある。
【０００５】
本考案は、上記のような課題を解決するためになされたものであり、コストを低減しながら忘れ物をも効果的に抑制可能な車両用表示装置を提供することを目的とする。
【課題を解決するための手段】
【０００６】
本考案に係る車両用表示装置は、車両の室内灯に回動可能に取り付けられ、情報を表示可能なプレート本体と、室内灯に対しプレート本体を回動可能に接続する接続部材と、車両の室内の壁面に取外し可能にプレート本体を固定可能な固定手段とを備える。
【０００７】
上記室内灯は、たとえば車両の室内の天井に装着され、ケーシングを有する。この場合、上記接続部材は、ケーシングの外周の側壁にプレート本体を接続するものであってもよい。
【０００８】
また、上記固定手段は、車両の室内の天井に設置された第１固定手段と、接続部材が接続される側と反対側に位置するプレート本体に設置され第１固定手段に取外し可能に固定可能な第２固定手段とを含むものであってもよい。さらに、第１および第２固定手段をプレート本体の端部から離隔させるようにしてもよい。
【考案の効果】
【０００９】
本考案の車両用表示装置では、プレート本体を回動操作して車両の乗員に対し情報を表示できるので、カメラや音声出力装置等の高価な設備が不要となり、コストを低減することができる。また、運転手等が手等でプレート本体を回動操作できるので、運転手等によって、積極的に忘れ物の有無を乗員に対し注意喚起することができ、忘れ物を効果的に抑制することができる。
【図面の簡単な説明】
【００１０】
【図１】本考案の１つの実施の形態における車両用表示装置の斜視図である。
【図２】図１に示す車両用表示装置の側面図である。
【考案を実施するための形態】
【００１１】
以下、本考案の実施の形態について図１および図２を用いて説明する。図１は、本考案の１つの実施の形態における車両用表示装置の斜視図であり、図２は、該車両用表示装置の側面図である。
【００１２】
本実施の形態の車両用表示装置は、タクシー、バス、電車、自家用車等の車両の室内に設置され、運転手等が手で操作可能である。車両の室内には一般に室内における視認性を向上するために、室内照明用の室内灯が内装される。図１に示す例では、室内灯２は、車両の天井６に取り付けられているが、室内を規定する天井６以外の壁面に室内灯２を配設してもよい。また、室内灯２の形状、大きさ、材質等についても任意に選択可能である。
【００１３】
本実施の形態の車両用表示装置は、室内灯２に回動可能に取り付けられる。図１の例では、室内灯２は、ケーシング３と、レンズ部４と、スイッチ５とを有する。ケーシング３は、たとえば透光性を有しないプラスチック製であり、内部に光源等の様々な要素を収容する。レンズ部４は、透光性を有する樹脂等で構成され、該レンズ部４を通して光源からの光を室内に供給する。スイッチ５は、ケーシング３と同様の素材で作製可能であり、室内灯２をオン／オフ制御する。
【００１４】
本実施の形態の車両用表示装置では、室内灯２のケーシング３の一部を有効利用して、プレート本体１を室内灯に対して回動可能に取り付けている。プレート本体１は、所定の大きさを有し、プラスチック、紙、セラミック、金属等の任意の素材で構成することができる。このプレート本体１の表面に、様々な情報を記載する。たとえば「忘れ物ありませんか」という文章をプレート本体１の表面に印刷してもよく、傘やバッグや携帯電話等を表わす図形や記号等を描いてもよい。また、文字、図形、記号等を適宜組合せてプレート本体１の表面に記載してもよい。上記のようなプレート本体１を使用することにより、車両用表示装置を簡易な構成とすることができ、コスト低減を図ることができる。
【００１５】
図２に示すように、本実施の形態では、プレート本体１は、接続部材７を介して室内灯２のケーシング３に回動可能に接続される。より詳しくは、プレート本体１は、接続部材７を介して、ケーシング３の外周の側壁に接続される。このとき、接続部材７の一方の端部は、たとえばネジ等の固定部材によりプレート本体１に固着され、接続部材７の他方の端部も、ネジ等の固定部材によりケーシング３の外周の側壁に固着される。なお、接続部材７としては、プレート本体１を回動可能にケーシング３に接続可能なものであれば任意の要素を使用できるが、たとえば蝶番のような部材を使用することができる。このように蝶番を使用することによっても、車両用表示装置を簡易な構成とすることができ、コスト低減に寄与する。
【００１６】
図２に示すように、本実施の形態の車両用表示装置は、室内の壁面に取外し可能にプレート本体１を固定可能な固定手段を備える。図２の例では、固定手段は、車両の室内の天井６に設置されたマグネット（第１固定手段）８ａと、接続部材７が接続される側と反対側に位置するプレート本体１に設置されマグネット８ａに取外し可能に固定可能なマグネット（第２固定手段）８ｂとを含む。マグネット８ａは、接着剤等を用いて車両の室内の天井６に装着可能であり、マグネット８ｂも、接着剤等を用いてプレート本体１に装着可能である。なお、プレート本体１を室内の壁面に取外し可能に固定することができるものであれば、マグネット以外の任意の構成を採用可能である。たとえば、面ファスナや粘着テープ等をも使用可能である。
【００１７】
また、図２に示すように、固定手段であるマグネット８ａ，８ｂをプレート本体１の端部から離隔させるようにしてもよい。それにより、プレート本体１の端部を手で容易に持つことができ、プレート本体１の回動操作を容易に行える。さらに、図示していないが、プレート本体１に手で把持可能な把持部を設けてもよい。この場合も、プレート本体１の回動操作を容易に行うことが可能となる。
【００１８】
上記の車両用表示装置は、初期状態においては、マグネット８ａ，８ｂにより、車両の室内の天井６に固定しておく。それにより、乗員の邪魔になることなく、車両用表示装置を車両の室内に設置することができる。そして、乗員が室内から降車する際に、運転手等が、手でプレート本体１を回動操作すればよい。このとき、図２に示すように、接続部材７を介して室内灯２に対しプレート本体１が回動可能に接続されているので、室内灯２の一部を中心としてプレート本体１を回動することができ、プレート本体１の表面に記載した様々な情報を適時に乗員に見せることができる。
【００１９】
このように運転手等が、実際に手でプレート本体１を操作してプレート本体１の表面に記載した情報を乗員に見せることにより、単純に音声出力装置等で報知する場合と比較して、乗員に対し良い意味でのインパクトを与えることができ、忘れ物の有無について乗員に積極的かつ効果的に注意喚起することができ、車内での忘れ物を効果的に抑制することができる。
【００２０】
また、前述のように、車両用表示装置を簡易な構成とすることもできるので、カメラや音声出力装置等の高価な設備が不要となり、コストをも低減することができる。
【００２１】
以上のように本考案の実施の形態について説明を行なったが、上述の実施の形態を様々に変形することも可能である。また、本考案の範囲は上述の実施の形態に限定されるものではない。本考案の範囲は、実用新案登録請求の範囲によって示され、実用新案登録請求の範囲と均等の意味および範囲内でのすべての変更を含むことが意図される。
【符号の説明】
【００２２】
１  プレート本体、２  室内灯、３  ケーシング、４  レンズ部、５  スイッチ、６  天井、７  接続部材、８ａ，８ｂ  マグネット。
【図１】
0003168223.tif 000003
【図２】
0003168223.tif 000004